(57)【要約】      （修正有）【課題】アナログ映像信号を含む複数の入力映像信号を受信し表示する映像表示装置において、アナログ映像信号をデジタル映像信号に変換する際に非表示映像信号の検知の為に発生するスイッチングノイズの影響を抑制する映像表示装置を提供する。【解決手段】アナログデジタル変換手段からの映像信号とデジタル映像信号入力手段からの映像信号から表示する映像信号を選択する第１の映像信号選択手段と、選択された映像信号の特性を測定する第１の映像信号測定手段と、表示手段に映像を表示しない映像信号を選択する第２の映像信号選択手段と、選択された映像信号の特性を測定する第２の映像信号測定手段と、第２の映像信号選択手段による映像信号選択を時分割で行う入力映像時分割選択手段とを備え、第１の映像信号選択手段で選択された映像信号が、アナログデジタル変換手段にり変換された映像信号を選択している場合は、入力映像時分割選択手段の動作を止める。【選択図】図１
2019020549.tif 000002
【特許請求の範囲】
【請求項１】
入力された映像信号を表示する表示手段を備える表示装置において、
１つ以上のアナログ映像信号入力手段と１つ以上のデジタル映像信号入力手段とで構成されアナログ映像信号入力手段とデジタル映像信号入力手段が合わせて３つ以上である映像信号入力手段と、
アナログ映像信号をデジタル映像信号に変換するアナログデジタル変換手段と、
１つ以上のデジタル映像信号入力手段と、
該アナログデジタル変換手段によって変換されたデジタル映像信号と該デジタル映像信号入力手段から入力されたデジタル映像信号から該表示手段に映像を表示する映像信号を選択する第１の映像信号選択手段と、
該第１の映像信号選択手段によって選択された映像信号の特性を測定する第１の映像信号測定手段と、
該アナログデジタル変換手段によって変換されたデジタル映像信号と該デジタル映像信号入力手段から入力されたデジタル映像信号から該表示手段に映像を表示しない映像信号を選択する第２の映像信号選択手段と、
該第２の映像信号選択手段によって選択された映像信号の特性を測定する第２の映像信号測定手段と、
該第２の映像信号選択手段による映像信号選択を時分割で行う入力映像時分割選択手段と、
を備え、
該第１の映像信号選択手段で選択された映像信号が、該アナログデジタル変換手段によって変換されたデジタル映像信号を選択している場合は、該入力映像時分割選択手段の動作を止めることを特徴とする映像表示装置。
【請求項２】
前記デジタル映像信号入力手段が受信するデジタル映像信号の信号有無を検知するデジタル映像信号有無検知手段を備えることを特徴とする請求項１に記載の映像表示装置。
【請求項３】
前記デジタル映像信号有無検知手段はＨＤＭＩのＴＭＤＳクロックの有無検知であることを特徴とする請求項２に記載の映像表示装置。
【請求項４】
前記デジタル映像信号有無検知手段はＤｉｓｐｌａｙＰｏｒｔのクロックの有無検知であることを特徴とする請求項２に記載の映像表示装置。
【発明の詳細な説明】
【技術分野】
【０００１】
本発明は、映像表示装置に関し、特にアナログ映像信号を含む複数の映像受信手段を備える映像表示装置に関する。
【背景技術】
【０００２】
映像信号を表示するＬＣＤディスプレイや液晶プロジェクタなどの映像表示装置では複数の映像受信ＩＦを備えているものが多い。映像受信ＩＦとは、ＶＧＡ、コンポーネント、コンポジット、ＤＶＩ、最近ではＨＤＭＩ（登録商標）、ＤｉｓｐｌａｙＰｏｒｔ（登録商標、以下ＤＰ）、ＳＤＩなどである。映像表示装置は複数の映像受信ＩＦを搭載することにより複数台の映像送信機と接続することができる。この場合、映像表示装置の利用者は、ケーブルの挿抜を行わずに映像表示装置側のリモコンを操作するなどして、複数台の映像送信機からの映像信号を切り替えて映像表示装置に表示させることができ、利便性が高い。映像送信機から伝送された映像信号は、その信号プロトコルに対応する各種映像信号受信レシーバ（映像表示装置内）によって受信処理がされる。
【０００３】
例えばＨＤＭＩのようなデジタル信号の場合、図５（ａ）で示すように映像送信機と映像表示装置間はＨＤＭＩ専用のプロトコル（ＴＭＤＳ信号）で伝送され、映像表示装置内のＨＤＭＩ受信回路でデジタル映像信号へ変換され画像処理エンジンへ伝送される。
【０００４】
また、ＶＧＡのようなアナログ信号の場合、図５（ｂ）で示すように映像送信機から伝送されたアナログ映像信号は、映像表示装置内のアナログ映像信号受信回路でデジタル信号に変換され画像処理エンジンへ伝送される。
【０００５】
映像表示装置は変換した映像信号の信号情報（垂直周波数情報や解像度、ＰｉｘｅｌＣｌｏｃｋなど）を測定する回路を備えていることが多い。画像処理エンジンはこれらの信号情報を基に画像処理エンジン内部を動作させる。特許文献１には、該信号情報から入力信号の状態を判断しＯＳＤなどを用いてユーザに対して、入力されている映像信号の状態を提示する方法が開示されている。
【０００６】
複数種類の映像信号を受信する映像表示装置での映像信号受信回路の数と信号情報を測定する測定回路の数を同数にするような構成とした場合、測定回路の回路規模増加によりコスト増加となり、ひいては表示装置のコスト増加につながる。このため、映像表示装置は映像受信回路の数と信号測定回路の数を、「映像受信回路の数＞信号測定回路の数」としている構成をとっているものが多い。例えば、図６はアナログ映像信号を受信する回路を２つ、ＨＤＭＩ信号を受信する回路を１つ、ＤＰ信号を受信する回路を１つ、映像信号を測定する回路を２つ備える映像受信レシーバの例である。図６では１つの映像信号測定回路は表示している信号の測定に用い、他の１つは非表示の映像を時分割に接続して信号の測定に用いる。
【先行技術文献】
【特許文献】
【０００７】
【特許文献１】特開２００９−１１１８６４号公報
【発明の概要】
【発明が解決しようとする課題】
【０００８】
映像信号受信レシーバに配置されている各回路は、グランド線を共有している構成が多い。グランド線を共有している場合、各回路の動作に応じて消費電力量が変化することでノイズが発生し、そのノイズがグランド線を介して各回路に伝搬していく。例えば図６で入力測定回路スイッチを切り替えた場合、そのスイッチングノイズがグランド線を介して各受信回路に伝搬していく。このスイッチングノイズがアナログ映像受信回路に影響を与えた場合、アナログ信号からデジタル信号に変換されたデジタル映像信号の信号レベルが変わってしまう問題が発生する。各回路でグランド線を共有しないとする方法も考えられるが、映像信号受信レシーバの回路が複雑となりコスト増加につながってしまう。
【０００９】
そこで、本発明は、アナログ映像信号を含む複数の入力映像信号を受信し表示する映像表示装置において、アナログ映像信号をデジタル映像信号に変換する際に非表示映像信号の検知の為に発生するスイッチングノイズの影響を抑制することができる映像表示装置を提供することを目的とする。
【課題を解決するための手段】
【００１０】
上記の目的を達成するために、本発明に係る映像表示装置は、
入力された映像信号を表示する表示手段を備える表示装置において、
１つ以上のアナログ映像信号入力手段と１つ以上のデジタル映像信号入力手段とで構成されアナログ映像信号入力手段とデジタル映像信号入力手段が合わせて３つ以上である映像信号入力手段と、
アナログ映像信号をデジタル映像信号に変換するアナログデジタル変換手段と、
１つ以上のデジタル映像信号入力手段と、
該アナログデジタル変換手段によって変換されたデジタル映像信号と該デジタル映像信号入力手段から入力されたデジタル映像信号から該表示手段に映像を表示する映像信号を選択する第１の映像信号選択手段と、
該第１の映像信号選択手段によって選択された映像信号の特性を測定する第１の映像信号測定手段と、
該アナログデジタル変換手段によって変換されたデジタル映像信号と該デジタル映像信号入力手段から入力されたデジタル映像信号から該表示手段に映像を表示しない映像信号を選択する第２の映像信号選択手段と、
該第２の映像信号選択手段によって選択された映像信号の特性を測定する第２の映像信号測定手段と、
該第２の映像信号選択手段による映像信号選択を時分割で行う入力映像時分割選択手段と、
を備え、
該第１の映像信号選択手段で選択された映像信号が、該アナログデジタル変換手段によって変換されたデジタル映像信号を選択している場合は、該入力映像時分割選択手段の動作を止めることを特徴とする。
【発明の効果】
【００１１】
本発明に係る映像表示装置によれば、アナログ映像信号を含む複数の入力映像信号を受信し表示する映像表示装置において、アナログ映像信号をデジタル映像信号に変換する際に非表示映像信号の検知の為に発生するスイッチングノイズの影響を抑制することができる。
【図面の簡単な説明】
【００１２】
【図１】全体接続図
【図２】液晶プロジェクタ１００の全体構成
【図３】液晶プロジェクタ１００の基本動作
【図４（ａ）】実施例１の特徴的動作
【図４（ｂ）】実施例１の特徴的動作
【図４（ｃ）】実施例１の特徴的動作
【図５（ａ）】映像表示装置の映像受信部ブロック図
【図５（ｂ）】映像表示装置の映像受信部ブロック図
【図６】映像受信レシーバブロック図
【図７】映像入力部１３０の詳細ブロック図
【発明を実施するための形態】
【００１３】
以下、図面を参照して本発明の実施例を詳細に説明するが、この発明は以下の実施の形態に限定さるものではない。
【実施例１】
【００１４】
本実施例では、映像表示装置の一例として、液晶プロジェクタについて説明する。液晶プロジェクタには、単板式、３板式などが一般に知られているが、どちらの方式であっても良い。また投影型表示装置としてはＤＭＤ（Ｄｉｇｉｔａｌ  Ｍｉｒｒｏｒ  Ｄｅｖｉｃｅ）などの表示デバイスを用いたＤＬＰプロジェクタでも同様の効果が得られる。また液晶プロジェクタを例にあげているが直視型のディスプレイでも同様の効果が得られる。
【００１５】
本実施例の液晶プロジェクタは、表示するべき画像に応じて、液晶素子の光の透過率を制御して、液晶素子を透過した光源からの光をスクリーンに投影することで、画像をユーザに提示する。以下、このような液晶プロジェクタについて説明する。
【００１６】
＜全体構成＞
まず、図１で各種映像出力装置と本実施例の液晶プロジェクタ１００の接続関係を示す。
【００１７】
液晶プロジェクタ１００は４つの映像出力装置（メディアプレイヤ２０１、ネットワークカメラ２０２、自動車型の映像出力装置２０３、パーソナルコンピュータ２０４）と映像ケーブルを介して接続している。図２を用いて、本実施例の液晶プロジェクタ１００の全体構成を説明する。
【００１８】
図２は、本実施例の液晶プロジェクタ１００の全体の構成を示す図である。
【００１９】
本実施例の液晶プロジェクタ１００は、ＣＰＵ１１０、ＲＯＭ１１１、ＲＡＭ１１２、操作部１１３、画像入力部１３０、画像処理部１４０を有する。液晶プロジェクタ１００は、さらに、液晶制御部１５０、液晶素子１５１Ｒ、１５１Ｇ、１５１Ｂ、光源制御部１６０、光源１６１、色分離部１６２、色合成部１６３、光学系制御部１７０、投影光学系１７１、内部バス１９９を有する。液晶プロジェクタ１００は、さらに、記録再生部１９１、記録媒体１９２、通信部１９３、撮像部１９４、表示制御部１９５、表示部１９６を有していてもよい。以下各構成部について説明する。
【００２０】
ＣＰＵ１１０は、液晶プロジェクタ１００の各動作ブロックを制御するものである。ＲＯＭ１１１は、ＣＵＰ１１０の処理手順を記述した制御プログラムを記憶するためのものである。ＲＡＭ１１２は、ワークメモリとして一時的に制御プログラムやデータを格納するものである。また、ＣＰＵ１１０は、記録再生部１９１により記録媒体１９２から再生された静止画データや動画データを一時的にＲＡＭ１１２に記憶し、ＲＯＭ１１１に記憶されたプログラムを用いて、それぞれの画像や映像を再生したりすることもできる。また、ＣＰＵ１１０は、通信部１９３より受信した静止画データや動画データを一時的にＲＡＭ１１２に記憶し、ＲＯＭ１１１に記憶されたプログラムを用いて、それぞれの画像や映像を再生したりすることもできる。また、撮像部１９４により得られた画像や映像を一時的にＲＡＭ１１２に記憶し、ＲＯＭ１１１に記憶されたプログラムを用いて、静止画データや動画データに変換して記録媒体１９２に記録させることもできる。
【００２１】
操作部１１３は、ユーザの指示を受け付け、ＣＰＵ１１０に指示信号を送信するものであり、例えば、スイッチやダイヤル、表示部１９６上に設けられたタッチパネルなどからなる。また、操作部１１３は、例えば、リモコンからの信号を受信する信号受信部（赤外線受信部など）で、受信した信号に基づいて所定の指示信号をＣＰＵ１１０に送信するものであってもよい。また、ＣＰＵ１１０は、操作部１１３や、通信部１９３から入力された制御信号を受信して、液晶プロジェクタ１００の各動作ブロックを制御する。
【００２２】
画像入力部１３０は、外部装置から映像信号を受信するものであり、例えば、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ端子、ＤＰ端子等を含む。アナログ映像信号を受信した場合には、受信したアナログ映像信号をデジタル映像信号に変換し、ＨＤＭＩなどのデジタルのシリアルデータはパラレルのデジタル映像信号に変換し、変換した映像信号を画像処理部１４０に送信する。ここで、外部装置は、映像信号を出力できるものであれば、パーソナルコンピュータ、カメラ、携帯電話、スマートフォン、ハードディスクレコーダ、ゲーム機など、どのようなものであってもよい。本実施例では図１で示すように、メディアプレイヤ２０１、ネットワークカメラ２０２、自動車型映像出力装置２０３、パーソナルコンピュータ２０４が外部装置である。
【００２３】
図７を用いて本実施例における画像入力部１３０の特徴的な構成について説明する。
【００２４】
図７で示すように本実施例では、画像入力部１３０はアナログＰＣ（以下ＡＰＣ）の映像入力端子を２つ（ＡＰＣ１が１３１ａ、ＡＰＣ２が１３１ｂ）とＨＤＭＩの映像入力端子（１３１ｃ）、ＤＰの映像入力端子（１３１ｄ）を持つ。ＡＰＣ映像入力端子（１３１ａ、１３１ｂ）は各々受信回路１３４ａ、１３４ｂと接続されており、Ａ／Ｄ  ｃｏｎｖｅｒｔｅｒ（以下ＡＤＣ）を備え、このＡＤＣでアナログ映像をデジタルのパラレル映像信号に変換する。
【００２５】
ＨＤＭＩ映像入力端子（１３１ｃ）は受信回路１３４ｃと接続されており、ここでＴＭＤＳ信号をデジタルのパラレル映像信号に変換し、さらにＡＶＩＩｎｆｏＦｒａｍｅなどの補助情報を取得する回路を備える。また受信回路１３４ｃは入力されるＴＭＤＳ  Ｃｌｏｃｋの検知機能を備え、このＴＭＤＳ  Ｃｌｏｃｋの有無をＨＤＭＩ信号の有無として扱う。
【００２６】
ＤＰ映像入力端子（１３１ｄ）は受信回路１３４ｄと接続されており、ここでＤＰ信号をデジタルのパラレル映像信号に変換し、さらにＡＶＩＩｎｆｏＦｒａｍｅなどの補助情報を取得する回路を備える。また、受信回路１３４ｄはＤＰ信号のＥｍｂｅｄｄｅｄ  Ｃｌｏｃｋ検知機能を備え、このＥｍｂｅｄｄｅｄ  Ｃｌｏｃｋの有無をＤＰ信号の有無として扱う。なお、本実施例では受信回路（１３４ａ〜１３４ｄ）からの出力はデジタルのパラレル映像信号としているがＬＶＤＳなどのシリアル信号伝送プロトコルでも良い。
【００２７】
画像入力部１３０はさらに入力信号測定回路（１３２ａ、１３２ｂ）と、各入力信号測定回路への入力を切り替える測定回路切り替えスイッチ（１３３ａ、１３３ｂ）、データバス１９９へ伝送する入力を切り替える入力切り替えスイッチ（１３５）を有する。接続は図７に示す通りである。
【００２８】
液晶プロジェクタ１００が表示する入力映像の切り替えは、入力切り替えスイッチ１３５を切り替えることで行われる。測定回路切り替えスイッチ１３３ａ／１３３ｂ、入力切り替えスイッチ１３５の切り替え制御や、入力信号測定回路１３２ａ／１３２ｂが測定した信号情報取得はＣＰＵ１１０が行う（制御線やデータ線は不図示）。本実施例では、メディアプレイヤ２０１と１３１ａが、ネットワークカメラ２０２と１３１ｂが、自動車型映像出力装置２０３と１３１ｃが、パーソナルコンピュータ２０４と１３１ｄが接続している。
【００２９】
画像処理部１４０は、映像入力部１３０で受信し内部バス１９９を介して伝送された映像信号にフレーム数、画素数、画像形状などの変更処理を施して、液晶制御部１５０に送信するものであり、例えば画像処理用のマイクロプロセッサから構成される。また、画像処理部１４０は、専用のマイクロプロセッサである必要はなく、例えば、ＲＯＭ１１１に記憶されたプログラムによって、ＣＰＵ１１０が画像処理部１４０と同様の処理を実行しても良い。画像処理部１４０は、フレーム間引き処理、フレーム補間処理、解像度変換処理、歪み補正処理（キーストン補正処理）、画像の移動や回転などのアフィン変換といった機能を実行することが可能である。また画像処理部１４０は、液晶制御部１５０に出力する映像信号に対して変形処理を行うことが可能である変形処理部２０３を備える。
【００３０】
画像処理部１４０は、映像入力部１３０から受信した映像信号以外にも、ＣＰＵ１１０によって再生された画像や映像に対して前述の処理を施すこともできる。
【００３１】
液晶制御部１５０は、画像処理部１４０で処理の施された映像信号に基づいて、液晶素子１５１Ｒ、１５１Ｇ、１５１Ｂの画素の液晶に印可する電圧を制御して、液晶素子１５１Ｒ、１５１Ｇ、１５１Ｂの透過率を調整するものであり、制御用のマイクロプロセッサからなる。また、液晶制御部１５０は、専用のマイクロプロセッサである必要はなく、例えば、ＲＯＭ１１１に記憶されたプログラムによって、ＣＰＵ１１０が液晶制御部１５０と同様の処理を実行しても良い。たとえば、画像処理部１４０に映像信号が入力されている場合、液晶制御部１５０は、画像処理部１４０から１フレームの画像を受信する度に、画像に対応する透過率となるように、液晶素子１５１Ｒ、１５１Ｇ、１５１Ｂを制御する。液晶素子１５１Ｒは、赤色に対応する液晶素子であって、光源１６１から出力された光のうち、色分離部１６２で赤色（Ｒ）、緑色（Ｇ）、青色（Ｂ）に分離された光のうち、赤色の光の透過率を調整するためのものである。液晶素子１５１Ｇは、緑色に対応する液晶素子であって、光源１６１から出力された光のうち、色分離部１６２で赤色（Ｒ）、緑色（Ｇ）、青色（Ｂ）に分離された光のうち、緑色の光の透過率を調整するためのものである。液晶素子１５１Ｂは、青色に対応する液晶素子であって、光源１６１から出力された光のうち、色分離部１６２で赤色（Ｒ）、緑色（Ｇ）、青色（Ｂ）に分離された光のうち、青色の光の透過率を調整するためのものである。
【００３２】
光源制御部１６０は、光源１６１のオン／オフを制御や光量の制御をするものであり、制御用のマイクロプロセッサからなる。また、光源制御部１６０は、専用のマイクロプロセッサである必要はなく、例えば、ＲＯＭ１１１に記憶されたプログラムによって、ＣＰＵ１１０が光源制御部１６０と同様の処理を実行しても良い。また、光源１６１は、不図示のスクリーンに画像を投影するための光を出力するものであり、例えば、ハロゲンランプ、キセノンランプ、高圧水銀ランプなどであっても良い。また、色分離部１６２は、光源１６１から出力された光を、赤色（Ｒ）、緑色（Ｇ）、青色（Ｂ）に分離するものであり、例えば、ダイクロイックミラーやプリズムなどからなる。なお、光源１６１として、各色に対応するＬＥＤ等を使用する場合には、色分離部１６２は不要である。また、色合成部１６３は、液晶素子１５１Ｒ、１５１Ｇ、１５１Ｂを透過した赤色（Ｒ）、緑色（Ｇ）、青色（Ｂ）の光を合成するものであり、例えば、ダイクロイックミラーやプリズムなどからなる。そして、色合成部１６３により赤色（Ｒ）、緑色（Ｇ）、青色（Ｂ）の成分を合成した光は、投影光学系１７１に送られる。このとき、液晶素子１５１Ｒ、１５１Ｇ、１５１Ｂは、画像処理部１４０から入力された画像に対応する光の透過率となるように、液晶制御部１５０により制御されている。そのため、色合成部１６３により合成された光は、投影光学系１７１によりスクリーンに投影されると、画像処理部１４０により入力された画像に対応する画像がスクリーン上に表示されることになる。なお、本実施例において、投射画像はスクリーンに投射される。
【００３３】
光学系制御部１７０は、投影光学系１７１を制御するものであり、制御用のマイクロプロセッサからなる。また、光学系制御部１７０は、専用のマイクロプロセッサである必要はなく、例えば、ＲＯＭ１１１に記憶されたプログラムによって、ＣＰＵ１１０が光学系制御部１７０と同様の処理を実行しても良い。また、投影光学系１７１は、色合成部１６３から出力された合成光をスクリーンに投影するためのものであり、複数のレンズ駆動用のアクチュエータからなり、レンズをアクチュエータにより駆動することで、投影画像の拡大、縮小、焦点調整などを行うことができる。
【００３４】
記録再生部１９１は、記録媒体１９２から静止画データや動画データを再生したり、また、撮像部１９４により得られた画像や映像の静止画データや動画データをＣＰＵ１１０から受信して記録媒体１９２に記録したりするものである。また、通信部１９３より受信した静止画データや動画データを記録媒体１９２に記録しても良い。記録再生部１９１は、例えば、記録媒体１９２と電気的に接続するインタフェースや記録媒体１９２と通信するためのマイクロプロセッサからなる。また、記録再生部１９１には、専用のマイクロプロセッサを含む必要はなく、例えば、ＲＯＭ１１１に記憶されたプログラムによって、ＣＰＵ１１０が記録再生部１９１と同様の処理を実行しても良い。また、記録媒体１９２は、静止画データや動画データ、その他、本実施例の液晶プロジェクタに必要な制御データなどを記録することができるものであり、磁気ディスク、光学式ディスク、半導体メモリなどのあらゆる方式の記録媒体であってよく、着脱可能な記録媒体であっても、内蔵型の記録媒体であってもよい。
【００３５】
通信部１９３は、外部機器からの制御信号や静止画データ、動画データなどを受信するためのものであり、例えば、無線ＬＡＮ、有線ＬＡＮ、ＵＳＢ、Ｂｌｕｅｔｏｏｔｈ（登録商標）などであってよく、通信方式を特に限定するものではない。また、画像入力部１３０の端子が、例えばＨＤＭＩ端子であれば、その端子を介してＣＥＣ通信を行うものであっても良い。ここで、外部装置は、液晶プロジェクタ１００と通信を行うことができるものであれば、パーソナルコンピュータ、カメラ、携帯電話、スマートフォン、ハードディスクレコーダ、ゲーム機、リモコンなど、どのようなものであってもよい。
【００３６】
撮像部１９４は、本実施例の液晶プロジェクタ１００の周辺を撮像して画像信号を取得するものであり、投影光学系１７１を介して投影された画像を撮影（スクリーン方向を撮影）することができる。撮像部１９４は、得られた画像や映像をＣＰＵ１１０に送信し、ＣＰＵ１１０は、その画像や映像を一時的にＲＡＭ１１２に記憶し、ＲＯＭ１１１に記憶されたプログラムに基づいて、静止画データや動画データに変換する。撮像部１９４は、被写体の光学像を取得するレンズを駆動するアクチュエータ、アクチュエータを制御するマイクロプロセッサ、レンズを介して取得した光学像を画像信号に変換する撮像素子、撮像素子により得られた画像信号をデジタル信号に変換するＡＤ変換部などからなる。また、撮像部１９４は、スクリーン方向を撮影するものに限らず、例えば、スクリーンと逆方向の視聴者側を撮影しても良い。
【００３７】
表示制御部１９５は、液晶プロジェクタ１００に備えられた表示部１９６に液晶プロジェクタ１００を操作するための操作画面やスイッチアイコン等の画像を表示させるための制御をするものであり、表示制御を行うマイクロプロセッサなどからなる。また、表示制御部１９５専用のマイクロプロセッサである必要はなく、例えば、ＲＯＭ１１１に記憶されたプログラムによって、ＣＰＵ１１０が表示制御部１９５と同様の処理を実行しても良い。また、表示部１９６は、液晶プロジェクタ１００を操作するための操作画面やスイッチアイコンを表示するものである。表示部１９６は、画像を表示できればどのようなものであっても良い。例えば、液晶ディスプレイ、ＣＲＴディスプレイ、有機ＥＬディスプレイ、ＬＥＤディスプレイであって良い。また、特定のボタンをユーザに認識可能に掲示するために、各ボタンに対応するＬＥＤ等を発光させるものであってもよい。
【００３８】
内部バス１９９は、液晶プロジェクタ１００内部で映像データや各種制御信号などを伝送するためのバスで、図１で示すように各制御ブロックと接続している。
【００３９】
なお、本実施例の画像処理部１４０、液晶制御部１５０、光源制御部１６０、光学系制御部１７０、記録再生部１９１、表示制御部１９５は、これらの各ブロックと同様の処理を行うことのできる単数または複数のマイクロプロセッサあっても良い。または、例えば、ＲＯＭ１１１に記憶されたプログラムによって、ＣＰＵ１１０が各ブロックと同様の処理を実行しても良い。また、本プロジェクタは複数の投射モードに応じて、ＣＰＵ１１０は、画像処理部１４０の各種パラメータの変更や、光源制御部１６０を制御して光源の明るさの強弱を行う。
【００４０】
＜基本動作＞
次に、図２、図３を用いて、本実施例の液晶プロジェクタ１００の基本動作を説明する。
【００４１】
図３は、本実施例の液晶プロジェクタ１００の基本動作の制御を説明するためのフロー図である。図３の動作は、基本的にＣＰＵ１１０が、ＲＯＭ１１１に記憶されたプログラムに基づいて、各機能ブロックを制御することにより実行されるものである。図３のフロー図は、操作部１１３や不図示のリモコンによりユーザが液晶プロジェクタ１００の電源のオンを指示した時点をスタートとしている。
【００４２】
操作部１１３や不図示のリモコンによりユーザが液晶プロジェクタ１００の電源のオンを指示すると、ＣＰＵ１１０は、不図示の電源部を制御しプロジェクタ１００の各部に電源供給を開始する。
【００４３】
次に、ＣＰＵ１１０は、ユーザによる操作部１１３やリモコンの操作により選択された表示モードを判定する（Ｓ２１０）。本実施例のプロジェクタ１００の表示モードの一つは、画像入力部１３０より入力された映像を表示する「入力画像表示モード」である。また、本実施例のプロジェクタ１００の表示モードの一つは、記録再生部１９１により記録媒体１９２から読み出された静止画データや動画データの画像や映像を表示する「ファイル再生表示モード」である。また、本実施例のプロジェクタ１００の表示モードの一つは、通信部１９３から受信した静止画データや動画データの画像や映像を表示する「ファイル受信表示モード」である。なお、本実施例では、ユーザにより表示モードが選択される場合について説明するが、電源を投入した時点での表示モードは、前回終了時の表示モードになっていてもよく、また、前述のいずれかの表示モードをデフォルトの表示モードとしてもよい。その場合には、Ｓ２１０の処理は省略可能である。
【００４４】
ここでは、Ｓ２１０で、「入力画像表示モード」が選択されたものとして説明する。
【００４５】
「入力画像表示モード」が選択されると、ＣＰＵ１１０は、画像入力部１３０から映像が入力されているか否かを判定する（Ｓ２２０）。入力されていない場合（Ｓ２２０でＮｏ）には、入力が検出されるまで待機し、入力されている場合（Ｓ２２０でＹｅｓ）には、制御部は、投影処理（Ｓ２３０）を実行する。
【００４６】
ＣＰＵ１１０は、投影処理として、画像入力部１３０より入力された映像を画像処理部１４０に送信し、画像処理部１４０に、フレーム間引き処理、フレーム補間処理、解像度変換処理、歪み補正処理（キーストン補正処理）、画像の移動や回転などのアフィン変換といった機能を実行させ、処理の施された１画面分の画像を液晶制御部１５０に送信する。そして、ＣＰＵ１１０は、液晶制御部１５０に、受信した１画面分の画像の赤色（Ｒ）、緑色（Ｇ）、青色（Ｂ）の各色成分の階調レベルに応じた透過率となるように、液晶パネル１５１Ｒ、１５１Ｇ、１５１Ｂの透過率を制御させる。そして、ＣＰＵ１１０は、光源制御部１６０に光源１６１からの光の出力を制御させる。色分離部１６２は、光源１６１から出力された光を、赤色（Ｒ）、緑色（Ｇ）、青色（Ｂ）に分離し、それぞれの光を、液晶パネル１５１Ｒ、１５１Ｇ、１５１Ｂに供給する。液晶パネル１５１Ｒ、１５１Ｇ、１５１Ｂに供給された、各色の光は、各液晶パネルの画素毎に透過する光量が制限される。そして、液晶パネル１５１Ｒ、１５１Ｇ、１５１Ｂを透過した赤色（Ｒ）、緑色（Ｇ）、青色（Ｂ）それぞれの光は、色合成部１６３に供給され再び合成される。そして、色合成部１６３で合成された光は、投影光学系１７１を介して、不図示のスクリーンに投影される。
【００４７】
この投影処理は、画像を投影している間、１フレームの画像毎に順次、実行されている。なお、この時にユーザにより投影光学系１７１の操作をする指示が操作部１１３から入力されると、ＣＰＵ１１０は、光学系制御部１７０に、投影画像の焦点を変更したり、光学系の拡大率を変更したりするように投影光学系１７１のアクチュエータを制御させる。
【００４８】
この投影処理実行中に、ＣＰＵ１１０は、ユーザにより表示モードを切り替える指示が操作部１１３から入力されたか否かを判定する（Ｓ２４０）。ここで、ユーザにより表示モードを切り替える指示が操作部１１３から入力されると（Ｓ２４０でＹｅｓ）、ＣＰＵ１１０は、再びＳ２１０に戻り、表示モードの判定を行う。このとき、ＣＰＵ１１０は、画像処理部１４０に、表示モードを選択させるためのメニュー画面をＯＳＤ画像として送信し、投影中の画像に対して、このＯＳＤ画面を重畳させるように画像処理部１４０を制御する。ユーザは、この投影されたＯＳＤ画面を見ながら、表示モードを選択する。
【００４９】
一方、表示処理実行中に、ユーザにより表示モードを切り替える指示が操作部１１３から入力されない場合は（Ｓ２４０でＮｏ）、ＣＰＵ１１０は、ユーザにより投影終了の指示が操作部１１３から入力されたか否かを判定する（Ｓ２５０）。ここで、ユーザにより投影終了の指示が操作部１１３から入力された場合には（Ｓ２５０でＹｅｓ）、ＣＰＵ１１０は、プロジェクタ１００の各ブロックに対する電源供給を停止させ、画像投影を終了させる。一方、ユーザにより投影終了の指示が操作部１１３から入力された場合には（Ｓ２５０でＮｏ）、ＣＰＵ１１０は、Ｓ２２０へ戻り、以降、ユーザにより投影終了の指示が操作部１１３から入力されるまでの間Ｓ２２０からＳ２５０までの処理を繰り返す。
【００５０】
以上のように、本実施例の液晶プロジェクタ１００は、スクリーンに対して画像を投影する。
【００５１】
なお、「ファイル再生表示モード」では、ＣＰＵ１１０は、記録再生部１９１に、記録媒体１９２から静止画データや動画データのファイルリストや各ファイルのサムネイルデータを読み出させ、ＲＡＭ１１２に一時的に記憶する。そして、ＣＰＵ１１０は、ＲＯＭ１１１に記憶されたプログラムに基づいて、ＲＡＭ１１２に一時記憶されたファイルリストに基づく文字画像や各ファイルのサムネイルデータに基づく画像を生成し、画像処理部１４０に送信する。そして、ＣＰＵ１１０は、通常の投影処理（Ｓ２３０）と同様に、画像処理部１４０、液晶制御部１５０、投影制御部１６０を制御する。
【００５２】
次に、投影画面上において、記録媒体１９２に記録された静止画データや動画データにそれぞれ対応する文字や画像を選択する指示が操作部１１３を通して入力される。そうすると、ＣＰＵ１１０は、選択された静止画データや動画データを記録媒体１９２から読み出すように記録再生部１９１を制御する。そして、ＣＰＵ１１０は、読み出された静止画データや動画データをＲＡＭ１１２に一時的に記憶し、ＲＯＭ１１１記憶されたプログラムに基づいて、静止画データや動画データの画像や映像を再生する。
【００５３】
そして、ＣＰＵ１１０は、例えば再生した動画データの映像を順次、画像処理部１４０に送信し、通常の投影処理（Ｓ２３０）と同様に、画像処理部１４０、液晶制御部１５０、投影制御部１６０を制御する。また、静止画データを再生した場合には、再生した画像を画像処理部１４０に送信し、通常の投影処理（Ｓ２３０）と同様に、画像処理部１４０、液晶制御部１５０、投影制御部１６０を制御する。
【００５４】
また、「ファイル受信表示モード」では、ＣＰＵ１１０は、通信部１９３から受信した静止画データや動画データをＲＡＭ１１２に一時的に記憶し、ＲＯＭ１１１記憶されたプログラムに基づいて、静止画データや動画データの画像や映像を再生する。そして、ＣＰＵ１１０は、例えば再生した動画データの映像を順次、画像処理部１４０に送信し、通常の投影処理（Ｓ２３０）と同様に、画像処理部１４０、液晶制御部１５０、投影制御部１６０を制御する。また、静止画データを再生した場合には、再生した画像を画像処理部１４０に送信し、通常の投影処理（Ｓ２３０）と同様に、画像処理部１４０、液晶制御部１５０、投影制御部１６０を制御する。
【００５５】
＜特徴的な動作説明＞
本実施例では、ユーザが不図示のリモコンを用いて液晶プロジェクタ１００を操作し、ＨＤＭＩ信号とＡＰＣ１信号の表示を切り替えた際の、画像入力部１３０の制御を行うＣＰＵ１１０の動作について説明する。まずＨＤＭＩ信号を表示する際、ＣＰＵ１１０の画像入力部１３０の制御方法について説明する。
【００５６】
まず、液晶プロジェクタ１００を起動しＨＤＭＩ信号を表示するまでに、ユーザが不図示のリモコンを操作し、それを受けたＣＰＵ１１０の動作シーケンスについて図４ａを用いて説明する。
【００５７】
液晶プロジェクタ１００はユーザのリモコン操作による電源オンを受け（Ｓ３０１にてＹＥＳ）、システムの初期化処理を行う（Ｓ３０２）。電源オン制御とは液晶プロジェクタ１００の内部ブロックの各種初期化処理である。Ｓ３０２後、前回電源オフ時に選択されていた映像入力端子を液晶プロジェクタ１００が表示する映像入力端子と選択し、その映像入力端子と接続している映像受信回路から表示する映像信号を入力信号測定回路１３２ａに入力するために入力測定回路スイッチ１３３ａを切り替える。本実施例では前回電源オフ時の表示端子がＨＤＭＩ（入力端子は１３１ｃ、受信回路１３４ｃ）である。入力測定回路スイッチ１３３ａと入力切り替えスイッチ１３５を受信回路１３４ｃからの映像を選択するように切り替える（Ｓ３０３）。切り替えてから１秒後、入力信号測定回路１３２ａよりＨＤＭＩの信号情報を取得する（Ｓ３０４）。取得した情報を基に画像処理部１４０や表示制御部１９５を制御し拡大縮小処理や台形補正、表示パネルドライバ設定を行い、ＨＤＭＩの入力映像を出力する（Ｓ３０５）。以降、選択された映像端子の映像出力処理は他の入力端子でも同様であるため出画処理の説明は省略する。
【００５８】
Ｓ３０５の後に、ユーザ操作によりＨＤＭＩから他の映像端子への切り替えが発生した場合（Ｓ３０６でＹｅｓ）、Ｓ３０３に処理を移し選択された入力端子からの映像に切り替える。本実施例ではＨＤＭＩを表示後にＡＰＣ１に切り替わる場合について説明する。１度ＨＤＭＩを表示した後、ＡＰＣ１へ入力を切り替える操作をユーザが行った場合、Ｓ３０６にてＡＰＣ１への切り替えを検知し（既出Ｓ３０６）、Ｓ３０３でＡＰＣ１の表示選択処理が行われる。具体的には、入力測定回路スイッチ１３３ａと入力切り替えスイッチ１３５を受信回路１３４ａからの映像に切り替える（既出Ｓ３０３）。切り替えてから１秒後、入力信号測定回路１３２ａよりＡＰＣ１の信号情報を取得する（既出Ｓ３０４）。Ｓ３０５の出画処理は上述したＨＤＭＩ表示時と同様であるので省略する。
【００５９】
Ｓ３０６でＮｏの場合、非表示信号情報を取得する（Ｓ３０７）。ＨＤＭＩ表示時、ＡＰＣ１表示時の非表示信号情報取得のフローは後述する。Ｓ３０７後、Ｓ３０８にて電源オフをユーザが指示していないかを確認し、電源オフを指示していない場合はＳ３０６の前に移行し、電源オフを指示している場合は電源オフ処理（Ｓ３０９）を行う。
【００６０】
次に図４ｂにて上述したＨＤＭＩ表示時の、ＣＰＵ１１０が実行する非表示映像入力端子の信号情報取得詳細シーケンスを説明する。また、図４ｃにて、ＨＤＭＩからＡＰＣ１へ表示を切り替え後、ＡＰＣ１表示時の非表示映像入力端子の信号情報取得詳細シーケンスを説明する。
【００６１】
まず図４ｂにてＨＤＭＩ表示時、非表示の映像入力端子１３１ａ（ＡＰＣ１）、１３１ｂ（ＡＰＣ２）、１３１ｄ（ＤＰ）の信号有無や信号情報を測定するために、入力測定回路スイッチ１３３ｂや入力信号測定回路１３２ｂの制御シーケンスについて説明する。
【００６２】
まず１３１ａ（ＡＰＣ１）の信号情報を取得するために入力測定回路スイッチ１３３ｂを受信回路１３４ａからの入力に切り替える（Ｓ４０１）。
【００６３】
Ｓ４０１後、１秒後に入力信号測定回路１３２ｂから信号有無や信号情報を取得する（Ｓ４０２）。
【００６４】
Ｓ４０２後、１３１ｂ（ＡＰＣ２）の信号情報を取得するために入力測定回路スイッチ１３３ｂを１３４ｂからの入力に切り替える（Ｓ４０３）。
【００６５】
Ｓ４０３後、１秒後に入力信号測定回路１３２ｂから信号有無や信号情報を取得する（Ｓ４０４）。
【００６６】
Ｓ４０４後、１３１ｄ（ＤＰ）の信号有無や信号情報を取得するために入力測定回路スイッチ１３３ｂを１３４ｄからの入力に切り替える（Ｓ４０５）。
【００６７】
Ｓ４０５後、１秒後に入力信号測定回路１３２ｂから信号有無や信号情報を取得する（Ｓ４０６）。以上がＨＤＭＩ信号表示の非表示信号情報取得の説明である。
【００６８】
次に図４ａのＳ３０６にてＡＰＣ１の表示に切り替わり後、ＣＰＵ１１０が実行する非表示の映像入力端子である１３１ｂ（ＡＰＣ２）、１３１ｃ（ＨＤＭＩ）、１３１ｄ（ＤＰ）の信号有無や信号情報測定のための入力測定回路スイッチ１３３ｂの制御シーケンスについて説明する。
【００６９】
まず１３１ｂ（ＡＰＣ２）の信号情報を取得するために入力測定回路スイッチ１３３ｂを１３４ｂからの入力に切り替える（Ｓ５０１）。
【００７０】
Ｓ５０１後、１秒後に入力信号測定回路１３２ｂから信号有無や信号情報を測定する（Ｓ５０２）。
【００７１】
Ｓ５０２後、ＨＤＭＩの信号有無を検知するために受信回路１３４ｃから上述したＴＭＤＳ  Ｃｌｏｃｋ有無情報を取得し、この情報をＨＤＭＩの信号有無情報として取得する（Ｓ５０３）。
【００７２】
Ｓ５０３後、ＤＰの信号有無を検知するために受信回路１３４ｄから上述したＥｍｂｅｄｄｅｄ  Ｃｌｏｃｋ有無情報を取得し、この情報をＤＰの信号有無情報として取得する（Ｓ５０４）。
【００７３】
本実施例では入力信号測定回路１３２ｂからの信号測定を入力測定回路スイッチの切り替えは１秒後としたが、入力信号測定回路が信号測定できるまでの十分な時間でよく数１００ｍ秒でも数秒でも良い。
【００７４】
以上説明したように、本実施例の液晶プロジェクタ１００は、表示する入力端子の種類に応じて非表示映像信号の測定方法を変更することにより、スイッチングノイズによるアナログ映像信号のノイズ重畳を抑制できるという効果を実現できる。
【００７５】
以上、本発明の好ましい実施形態について説明したが、本発明はこれらの実施形態に限定されず、その要旨の範囲内で種々の変形及び変更が可能である。
【００７６】
［その他の実施例］
本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００７７】
この場合、記憶媒体から読み出されたプログラムコード自体が前述した実施形態の機能を実現することになり、プログラムコード自体及びそのプログラムコードを記憶した記憶媒体は本発明を構成することになる。
【００７８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７９】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。
【００８０】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【００８１】
１００  液晶プロジェクタ、１１０  ＣＰＵ、１１１  ＲＯＭ、１１２  ＲＡＭ、
１１３  操作部、１３０  画像入力部、１４０  画像処理部、１５０  液晶制御部、
１５１  液晶素子、１６０  光源制御部、１６１  光源、１６２  色分離部、
１６３  色合成部、１７０  光学系制御部、１７１  投影光学系、
１９１  記録再生部、１９２  記録媒体、１９３  通信部、１９５  表示制御部、
１９６  表示部、１９９  内部バス、１３１ａ  映像入力端子（ＡＰＣ１）、
１３１ｂ  映像入力端子（ＡＰＣ２）、１３１ｃ  映像入力端子（ＨＤＭＩ）、
１３１ｄ  映像入力端子（ＤＰ）、１３２ａ  入力信号測定回路（表示用）、
１３２ｂ  入力信号測定回路（非表示用）、
１３３ａ  入力測定回路スイッチ（表示用）、
１３３ｂ  入力測定回路スイッチ（非表示用）、
１３５  入力切り替えスイッチ
【図１】
2019020549.tif 000003
【図２】
2019020549.tif 000004
【図３】
2019020549.tif 000005
【図４（ａ）】
2019020549.tif 000006
【図４（ｂ）】
2019020549.tif 000007
【図４（ｃ）】
2019020549.tif 000008
【図５（ａ）】
2019020549.tif 000009
【図５（ｂ）】
2019020549.tif 000010
【図６】
2019020549.tif 000011
【図７】
2019020549.tif 000012